(57)【要約】本発明は、消費に適する飲料を作るための形状保持パッド（１）、アセンブリおよび方法に関する。この目的のため、パッドは、粉乳／クリーマおよび砂糖などの水溶性物質（４）を入れたカバー（２）を備える。カバーは、上側シート（６）および底側シート（８）を有する。パッドは、上側シートおよび底側シート間に配置された形状規定補剛体（１０）をさらに備え、上側シートおよび底側シートは少なくとも部分的に、互いに、かつ表面にほぼ平行に延在する。補剛体は、上側シートに隣接した上側面と、底側シートに隣接した底側面とを有し、また、内部に仕切り壁構造を設けることにより、液体を透過する格子構造体（１４）を有し、この構造体内に可溶性物質の少なくとも一部分が収容され、また、壁構造によって形成された各区画室（１６）が、その壁構造、上側シートおよび底側シートによって包囲される。
2005536271.tif 000002
【特許請求の範囲】
【請求項１】
消費に適する飲料を調製するための形状保持パッドであって、水などの液体に可溶性の、粉乳／クリーマ、砂糖および同様の添加物などの物質を入れた少なくとも１つの第１カバーを備え、該カバーが、前記可溶性物質を透過しない材料、たとえば、フィルタ材料の層から作製された上側シート、および前記可溶性物質を透過させないが、液体に溶解している物質を透過させる材料、たとえば、フィルタ材料の層から作製された底側シートを有し、該パッドが、前記上側シートおよび前記底側シート間に配置された形状規定補剛体をさらに備え、前記上側シートおよび前記底側シートは少なくとも部分的に、互いに、かつ表面にほぼ平行に延在し、前記補剛体が、前記上側シートに隣接した上側面、および前記底側シートに隣接した底側面を有し、また、内部に仕切り壁構造を設けることにより、前記上側面から前記底側面まで液体を透過させる格子構造を有し、該構造内に前記可溶性物質の少なくとも一部分が収容され、また、前記壁構造によって形成された各区画室が、前記壁構造、前記上側シートおよび前記底側シートによって包囲されている、形状保持パッド。
【請求項２】
前記仕切り壁構造の少なくとも一部分が、複数の区画室を形成する格子によって形成されていることを特徴とする、請求項１に記載の形状保持パッド。
【請求項３】
前記仕切り壁構造の少なくとも一部分が、渦巻き形の壁によって形成されていることを特徴とする、請求項１または２に記載の形状保持パッド。
【請求項４】
前記壁構造によって形成された各区画室が、前記壁構造の一部分に垂直に測ったとき、幅が水力直径の１／３より小さい、好ましくは１／４より小さい、さらに好ましくは１／６より小さい、さらにもっと好ましくは１／８より小さい、幅を有する（ここで、水力直径とは、通路表面積の４倍を通路周長で割った商を意味するものとする）ことを特徴とする請求項１乃至３のいずれか１項に記載の形状保持パッド。
【請求項５】
各区画室が、単一壁によって画定されていることを特徴とする、請求項１乃至４のいずれか１項に記載の形状保持パッド。
【請求項６】
前記区画室の少なくとも１つが、ｎ角形構造を有する（ｎは、２より大きい整数である）ことを特徴とする、先行する請求項のいずれか１項に記載の形状保持パッド。
【請求項７】
前記区画室の少なくとも１つが、ハニカム構造を形成していることを特徴とする、請求項５または６に記載の形状保持パッド。
【請求項８】
前記区画室の少なくとも１つが、円形または楕円形であることを特徴とする、請求項１乃至５のいずれか１項に記載の形状保持パッド。
【請求項９】
前記補剛体が、前記壁構造の周囲に延在する直立側壁を備えていることを特徴とする、請求項１乃至８のいずれか１項に記載の形状保持パッド。
【請求項１０】
前記補剛体が、前記壁構造の周囲に延在する水平縁部を備えていることを特徴とする、請求項１乃至９のいずれか１項に記載の形状保持パッド。
【請求項１１】
前記上側シートが、前記補剛体の上側面に固定されていることを特徴とする、請求項１乃至１０のいずれか１項に記載の形状保持パッド。
【請求項１２】
前記上側シートが、前記壁構造の上側面に固定されていることを特徴とする、請求項１乃至１１のいずれか１項に記載の形状保持パッド。
【請求項１３】
前記上側シートが、前記直立側壁の上側面に固定されていることを特徴とする、請求項９または１１に記載の形状保持パッド。
【請求項１４】
前記上側シートが、前記直立側壁の外側面に固定されていることを特徴とする、請求項９に記載の形状保持パッド。
【請求項１５】
前記上側シートが、前記壁構造の上側面にも固定されていることを特徴とする、請求項１３または１４に記載の形状保持パッド。
【請求項１６】
前記上側シートが、前記壁構造の上側面の数箇所に固定されていることを特徴とする、請求項１５に記載の形状保持パッド。
【請求項１７】
前記底側シートが、前記補剛体の底側面に固定されていることを特徴とする、請求項１乃至１６のいずれか１項に記載の形状保持パッド。
【請求項１８】
前記底側シートが、前記壁構造の底側面に固定されていることを特徴とする、請求項１乃至１７のいずれか１項に記載の形状保持パッド。
【請求項１９】
前記底側シートが、前記直立側壁の底側面に固定されていることを特徴とする、請求項９または１７に記載の形状保持パッド。
【請求項２０】
前記底側シートが、前記直立側壁の外側面に固定されていることを特徴とする、請求項９に記載の形状保持パッド。
【請求項２１】
前記底側シートが、前記壁構造の底側面にも固定されていることを特徴とする、請求項１９または２０に記載の形状保持パッド。
【請求項２２】
前記底側シートが、前記壁構造の底側面の数箇所に固定されていることを特徴とする、先行する請求項２１に記載の形状保持パッド。
【請求項２３】
前記底側シートおよび前記上側シートが、相互連結され、好ましくはそれらの長手縁部で相互連結され、さらに好ましくは直接的に相互連結され、該相互連結部分が接合部を形成していることを特徴とする、請求項１乃至２２のいずれか１項に記載の形状保持パッド。
【請求項２４】
該パッドが、平坦な形状であって、前記表面の方向の寸法が、前記表面に垂直な方向の寸法より大きいことを特徴とする、請求項１乃至２３のいずれか１項に記載の形状保持パッド。
【請求項２５】
前記補剛体が、プラスチックなどの合成物、金属、厚紙、ゴムおよび／または生分解性材料から作製されていることを特徴とする、請求項１乃至２４のいずれか１項に記載の形状保持パッド。
【請求項２６】
該形状保持パッドが、ディスク形構造を有していることを特徴とする、請求項１乃至２５のいずれか１項に記載の形状保持パッド。
【請求項２７】
前記第１カバーの前記上側シートおよび／または前記底側シートが、ろ紙から作製されていることを特徴とする、請求項１乃至２６のいずれか１項に記載の形状保持パッド。
【請求項２８】
前記第１カバーの前記上側シートが、取り外し可能に設けられている液体不透過性のシートから少なくとも部分的に作製されているか、あるいは、水またはコーヒー抽出液などの液体を透過するフィルタ材料から少なくとも部分的に作製されていることを特徴とする、請求項１〜２７のいずれか１項に記載の形状保持パッド。
【請求項２９】
前記補剛体が、該補剛体の円周縁部から比較的短い距離をおいた位置に配置された複数の比較的小さい区画室を有し、また、前記補剛体が、前記円周縁部から比較的長い距離をおいた位置に配置された複数の比較的大きい区画室を有することを特徴とする、請求項１乃至２８のいずれか１項に記載の形状保持パッド。
【請求項３０】
前記補剛体が、互いに少なくともほぼ平行な向きの複数の細長い区画室を有することを特徴とする、請求項１乃至２９のいずれか１項に記載の形状保持パッド。
【請求項３１】
前記壁構造および前記底側シート間に、前記可溶性物質を少なくとも部分的に充填した少なくとも１つの収容空間を備えていることを特徴とする、請求項１乃至３０のいずれか１項に記載の形状保持パッド。
【請求項３２】
前記補剛体の上側面が、凸状または凹状表面に従って形成されていることを特徴とする、請求項１乃至３２のいずれか１項に記載の形状保持パッド。
【請求項３３】
前記補剛体の底側面が、凸状または凹状表面に従って形成されていることを特徴とする、請求項１乃至３２のいずれか１項に記載の形状保持パッド。
【請求項３４】
区画室の最小寸法が、該パッドの最小寸法の１／３より小さく、好ましくは１／４より小さく、さらに好ましくは１／６より小さく、さらにもっと好ましくは１／７より小さいことを特徴とする、請求項１乃至３３のいずれか１項に記載の形状保持パッド。
【請求項３５】
区画室の最小寸法が、該パッドの厚さの２倍より小さいことを特徴とする、請求項１乃至３４のいずれか１項に記載の形状保持パッド。
【請求項３６】
前記寸法の前記区画室が、少なくとも実質的に該パッド全体に延在することを特徴とする、請求項３４または３５に記載の形状保持パッド。
【請求項３７】
互いに上下に配置された少なくとも２つの補剛体を備えていることを特徴とする、請求項１乃至３６のいずれか１項に記載の形状保持パッド。
【請求項３８】
前記補剛体が、互いに対してずらして設けられていることを特徴とする、請求項３７に記載の形状保持パッド。
【請求項３９】
少なくとも部分的にシート状フィルタ材料から作製された第２カバーであって、挽いたコーヒーのような被抽出製品を入れた第２カバーをさらに備え、該第２カバーは、前記第１カバーの上方または下方で前記表面にほぼ平行に延在することを特徴とする、請求項１乃至３８のいずれか１項に記載の形状保持パッド。
【請求項４０】
前記第２カバーが、シート状フィルタ材料から作製された上側シート、およびシート状フィルタ材料から作製された底側シートを備え、前記上側シートおよび前記底側シートは、相互連結され、また好ましくはそれらの長手縁部で相互連結され、さらに好ましくは直接的に相互連結され、該相互連結部分が円形接合部を形成することを特徴とする、請求項３９に記載の形状保持パッド。
【請求項４１】
前記第２カバーの前記底側シートは、前記第１カバーに連結されることを特徴とする、請求項４０に記載の形状保持パッド。
【請求項４２】
前記第２カバーの前記底側シートが、前記第１カバーの前記上側シートによって形成されていることを特徴とする、請求項４０または４１に記載の形状保持パッド。
【請求項４３】
前記第２カバーの前記上側シートおよび／または底側シートが、ろ紙から作製されていることを特徴とする、請求項３９乃至４２のいずれか１項に記載の形状保持パッド。
【請求項４４】
挽いたコーヒーまたは茶葉のような被抽出物質を充填した抽出パッドを入れるための収容空間を設けたホルダをさらに備え、前記第１カバーが、前記収容空間の下方に配置されて、前記収容空間と流体連通していることを特徴とする、請求項１〜３８のいずれか１項に記載の形状保持パッド。
【請求項４５】
前記補剛体の少なくとも前記底側が、膨出部分を備えることを特徴とする、請求項１乃至４４のいずれか１項に記載の形状保持パッド。
【請求項４６】
前記膨出部分が、前記仕切り壁構造の一部分の高さの増加によって決定されることを特徴とする、請求項４５に記載の形状保持パッド。
【請求項４７】
前記膨出部分が、前記表面に平行に延在する表面を有することを特徴とする、請求項４５または４６に記載の形状保持パッド。
【請求項４８】
前記表面が、前記仕切り壁構造の中央部分を形成することを特徴とする、請求項４７に記載の形状保持パッド。
【請求項４９】
前記中央部分が、前記補剛体の円周壁の底縁部に対して引込むように配置され、それにより、前記仕切り壁構造の前記底側が、前記中央表面の前記縁部と前記円周壁の前記底縁部との間で、前記中央表面の前記縁部と前記円周壁の前記底縁部との間に引いた線に対して引込んでいることを特徴とする、請求項４８に記載の形状保持パッド。
【請求項５０】
前記底側シートは、前記中央表面全体に、その前記縁部から前記円周壁の前期底縁部（その縁部は好ましくは環状に突出している）まで延在し、この位置かまたはその付近で前記補剛体に固定されることを特徴とする、請求項４９に記載の形状保持パッド。
【請求項５１】
前記底側シートが、前記円周壁の前記底縁部上の固定点から前記上側シートの外周縁部の少なくとも近くまで前記円周壁に沿ってさらに延在し、前記上側シートと前記補剛体との固定点かまたはその付近で前記外周縁部に固定されることを特徴とする、請求項５０に記載の形状保持パッド。
【請求項５２】
前記底側シートは、前記円周壁の前記底縁部上の固定点から前記円周壁に沿ってさらに延在して前記上側シートに連結され、それにより、前記補剛体を完全に囲むカバーを形成することを特徴とする、請求項５０に記載の形状保持パッド。
【請求項５３】
前記上側シートおよび／または前記底側シートがさらに伸張して、そこでさらなるシートに連結され、それにより、挽いたコーヒー豆のような被抽出製品を入れる密封収容空間を形成することを特徴とする、請求項５１または５２に記載の形状保持パッド。
【請求項５４】
前記補剛体上に、多数の通路を有する分離体、より具体的にはシャワーヘッドプレートのような散水プレート、が設けられていることを特徴とする、請求項１乃至５３のいずれか１項に記載の形状保持パッド。
【請求項５５】
前記分離体が、前記第１カバーの前記上側シートの少なくとも一部分を形成していることを特徴とする、請求項５４に記載の形状保持パッド。
【請求項５６】
前記分離体が、前記第１カバーの前記上側シートの上に位置していることを特徴とする、請求項５４に記載の形状保持パッド。
【請求項５７】
前記分離体が、前記第１カバーの前記上側シートの下に位置していることを特徴とする、請求項５４に記載の形状保持パッド。
【請求項５８】
前記上側シートが、フィルタ材料の層からなることを特徴とする、請求項５６または５７に記載の形状保持パッド。
【請求項５９】
前記上側シートが、取り外し可能に設けられた液体不透過性のフィルタ材料の層からなることを特徴とする、請求項５７に記載の形状保持パッド。
【請求項６０】
先行する請求項１〜５９のいずれか１項に記載の形状保持パッドと、挽いたコーヒー豆のような被抽出製品を充填した、少なくとも部分的にシート状フィルタ材料から作製された抽出パッドとのアセンブリ。
【請求項６１】
前記抽出パッドの幅方向の前記抽出パッドの寸法が、前記形状保持パッドの前記表面の方向の前記形状保持パッドの寸法と少なくとも一致することを特徴とする、請求項６０に記載のアセンブリ。
【請求項６２】
前記抽出パッドの幅方向の前記抽出パッドの寸法が、前記形状保持パッドの前記表面の方向の前記形状保持パッドの寸法よりも大きいことを特徴とする、請求項６１に記載のアセンブリ。
【請求項６３】
前記形状保持パッドおよび前記抽出パッドの各々が、丸形ディスクの形状を有し、前記抽出パッドが、形状保持パッドの直径と少なくとも同じ大きさの直径を有することを特徴とする、請求項６１または６２に記載の形状保持パッドのアセンブリ。
【請求項６４】
前記抽出パッドの前記直径が、前記形状保持パッドの前記直径より大きいことを特徴とする、請求項６３に記載のアセンブリ。
【請求項６５】
前記抽出パッドの前記シート状フィルタ材料が、ろ紙を備えていることを特徴とする、請求項６０乃至６４のいずれか１項に記載のアセンブリ。
【請求項６６】
請求項１乃至６５のいずれか１項に記載の形状保持パッドまたはアセンブリを用いて消費に適する飲料を調整する方法であって、上側シートおよび底側シートによって閉鎖状に覆われた補剛体内に仕切り壁構造によって形成された液体透過性の格子構造体を有する前記形状保持パッド内に収容された、水のような液体に可溶性の粉乳／クリーマ、砂糖および同様の添加物のような一定量の物質を、カバー内に収容されている挽いたコーヒーのような一定量の被抽出物質と共にホルダに入れて、次に、高温水などの液体をホルダに、特にその上側から、好ましくは加圧状態で前記２つの物質に供給し、その後、このようにして得られた前記飲料を前記ホルダの底側の少なくとも１つの流出開口から注ぎ出す、飲料を調製する方法。
【請求項６７】
前記液体は、最初に抽出すべき前記物質に、次に前記可溶性物質に供給されることを特徴とする、請求項６６に記載の方法。
【請求項６８】
前記液体が、最初に前記可溶性物質に、次に前記被抽出物質に供給されることを特徴とする、請求項６６に記載の方法。
【請求項６９】
前記形状保持パッドおよび前記カバーが、前記ホルダ内に設置される前に結合されて、それにより、全体を形成することを特徴とする、請求項６６、６７または６８に記載の方法。
【請求項７０】
前記形状保持パッドおよび前記カバー間の分離が１つの単一フィルタ層によって行われるように前記結合が行われることを特徴とする、請求項６９に記載の方法。
【請求項７１】
前記形状保持パッドが、剥離可能層を備え、該剥離可能層が、液体を前記ホルダに供給する前に取り外されることを特徴とする、請求項６６〜７０のいずれか１項に記載の方法。
【請求項７２】
前記形状保持パッドを前記ホルダ内に設置し、その上に前記カバーを載置する前に、前記剥離可能層が取り外されるか、あるいは、前記カバーが前記ホルダ内に設置されて、前記形状保持パッドがその上に載置され、前記剥離可能層が、前記形状保持パッドを前記ホルダ内に設置する前か、あるいは後に取り外されることを特徴とする、請求項７１に記載の方法。
【請求項７３】
前記層が引き剥がされた使用済み形状保持パッドは、再利用のために可溶性物質を少なくとも部分的に前記パッドに充填することができるように構成された補剛体を備えることを特徴とする、請求項７１または７２に記載の方法。
【請求項７４】
得られた飲料は、わずかに泡立った泡層が得られるように、噴出開口（spout opening）として構成された流出開口（outlet opening）から排出されることを特徴とする、請求項６６乃至７３のいずれか１項に記載の方法。
【請求項７５】
前記形状保持パッドおよび前記ホルダが、前記カバーを前記ホルダに入れる前に相互連結されることを特徴とする、請求項６６乃至７４のいずれか１項に記載の方法。
【請求項７６】
前記形状保持パッドおよび前記ホルダが、一体構造を有することを特徴とする、請求項７５に記載の方法。
【発明の詳細な説明】
【技術分野】
【０００１】
本発明は、消費（飲用）に適する飲料を作るためのパッドであって、水などの液体に可溶性の粉乳／クリーマ、砂糖および同様の添加物などの物質を入れた少なくとも１つの第１カバーを備え、カバーは、可溶性物質を透過しない材料、たとえば、フィルタ材料の層から作製された上側シートと、可溶性物質それ自体は透過させないが、液体に溶解している物質を透過させる材料、たとえば、フィルタ材料の層から作製された底側シートとを備える、パッドに関する。
【０００２】
そのようなパッド自体は既知である。既知のパッドは、消費に適する飲料を作るための、コーヒーメーカなどの既知の器具に使用されることを意図する。この場合、パッドを器具のホルダ内に設置し、その後に高温水を器具によってホルダに供給する。そのとき、高温水は上側フィルタシートを通過して、水溶性物質が入っているカバーの内部空間に流れる。この物質は水に溶けて、底側フィルタシートを通過してパッドから出る。ホルダは、たとえば、少なくとも１つの流出開口を備え、それを通って、物質が溶解している水がホルダ外へ流れることができる。
【０００３】
既知のパッドの欠点は、使用の際に水溶性物質が溶解しない割合が相当に高いことである。その結果、消費に適する飲料を作った後、物質が相当に大きい割合で使用されずにパッド内に残る。
【０００４】
本発明の目的は、消費に適する同一量の飲料を既知のパッドおよび本発明に従ったパッドで調製するとき、消費に適する一定量の飲料を調製するときに溶解することができる物質の割合が、既知のパッドの場合より大きい形状保持パッドを提供することである。
【０００５】
この目的のために、本発明によれば、消費に適する飲料を作るための形状保持パッドであって、水などの液体に可溶性の物質、たとえば粉乳／クリーマ、砂糖および同様の添加物を入れた少なくとも１つの第１カバーを備え、該カバーは、可溶性物質を透過しない材料、たとえば、フィルタ材料の層から作製された上側シート、および可溶性物質を透過しないが、液体に溶解している物質を透過する材料、たとえば、フィルタ材料の層から作製された底側シートを有し、該パッドは、上側シートおよび底側シート間に配置された形状規定補剛体をさらに備え、該上側シートおよび該底側シートは少なくとも部分的に、互いに、かつ表面にほぼ平行に延在し、該補剛体は、上側シートに隣接した上側面、および底側シートに隣接した底側面を有し、また、内部に仕切り壁構造を設けることにより、上側面から底側面まで液体を透過する格子構造体を有し、この構造体内に可溶性物質の少なくとも一部分が収容され、また、壁構造によって形成された各区画室が、その壁構造、上側シートおよび底側シートによって包囲される、形状保持パッドが提供される。本発明に従った手法、すなわち、可溶性物質に対して良好な透過性を有するが、それの分割および分離パターンも有する、ある程度ブロック状であるか、またはディスク形状の補剛体を使用することにより、液体が流れるときに溶解する物質の割合が、既知のパッドの場合より大きくなる結果が得られることがわかった。これについての考えられる理由は、水がより良好に拡散してパッド内を流れること、かつ／または仕切り壁構造の結果として、比較的大きい塊、すなわち、液体を透過する格子構造体内の通路より大きい塊の形成が防止されることである。
【０００６】
本発明のさらなる実施形態によれば、重要な壁構造に関して、仕切り壁構造の少なくとも一部分が、複数の区画室を形成する格子によって形成されることが好ましい。このように、補剛体は、互いに分離した区画室を有する任意の所望の透過性格子に適当な方法で分割されることができる。加えて、仕切り壁構造の少なくとも一部分を渦巻き形の壁で形成することも可能である。その場合、その目的に適した幅を有する、単一の長い連続区画室を作ることが可能である。実際のところ、これには、複数の隣接区画室が、たとえば、これらの隣接区画室間の壁の少なくとも１つの開口によって相互に接続されて、長い連続区画室を形成する格子が必要である。もちろん、格子を外側、内側、または中間渦巻きと組み合わせるように構成することも可能である。平行壁の配列により、適当な幅を有する細長い区画室も実現することができる。個々の用例においてどの特定の壁構造が可溶性物質を最も完全に溶解させるかは、可溶性物質（複数可）の性質、供給される液体および他の要素、たとえば、圧力や温度によって決まる。
【０００７】
塊は、粉末核が、粉末核の比較的迅速な溶解を阻止する粘性塊によって包囲されたものからなる場合が多い。可溶性物質がそのように凝集化する可能性を減らすために、比較的細かい通路構造体が好まれる、すなわち、本発明のさらなる実施形態によれば、それにより、壁構造によって形成された各区画室が、壁構造の一部分に垂直に測ったとき、幅が水力直径の１／３より小さく、好ましくは１／４より小さく、さらに好ましくは１／６より小さく、さらにもっと好ましくは１／８より小さい場合に利点を得ることができ、ここで、水力直径とは、補剛体の周長で表面を４回割った値を意味すると理解される。実際に、これは、透過性格子構造体内の可溶性物質の各粒子が、壁構造の表面からの幅より近い距離の位置にあることを意味する。この距離を比較的短く維持することにより、おそらくは形成され始めた塊の直径が比較的小さく、その結果、この塊がおそらくは形成されないか、あるいはその寸法が比較的小さく、したがって粉末核が小さいか、またはないため、迅速に溶解する。
【０００８】
好ましくは、隣接した区画室が単一の壁で分離される。このように、カバーの内部空間が、物質の充填に最適に利用される。言い換えると、この場合、壁構造は、パッドの内側部分の比較的小さい体積部分を占めることができる。
【０００９】
特に、さらに、上側シートは補剛体の上側面に固定され、底側シートは補剛体の底側面に固定される。この場合、上側シートおよび底側シートはそれぞれ、上側シートおよび底側シートのそれぞれの長手縁部付近で補剛体に固定されることができる。さらに、特に上側シートは壁構造の上側面に固定され、底側シートは壁構造の底側面に固定される。この場合、上側シートおよび底側シートを開口付近に位置する区画室の縁部に連結し、それにより、区画室を上側シートおよび底側シートで閉鎖することも可能である。これは、物質が粉末状であるとき、物質が、たとえば１つの区画室から別の区画室へ移動することができないことを意味する。
【００１０】
特にパッドは、少なくとも部分的にシート状フィルタ材料から作製された第２カバーであって、挽いたコーヒー豆などの被抽出製品を入れた第２カバーをさらに備え、第２カバーは、第１カバーの上方か、または下側で表面にほぼ平行に延在する。物質が粉乳／クリーマおよび／または砂糖からなり、被抽出製品が挽いたコーヒー豆からなるとき、そのような形状保持パッドは、カプチーノを作るのに特に適する。この場合、使用の際に、たとえば第２カバーを第１カバーの上方に配置すると、高温水が加圧状態で第２カバーの上側に供給される。第２カバー内で、この高温水がコーヒー抽出液を生成し、それが次に、圧力の影響を受けて第１カバーへ流れ、そこで物質がコーヒー抽出液に溶解する。物質が内部に溶解しているコーヒー抽出液は次に、第１カバーの底側シートを通過して形状保持パッドから出る。このようにして得られた飲料（溶解物質入りのコーヒー）は、今すぐに消費の準備ができている。しかし、飲料は、欧州特許出願第０８７８１５８号に記載されている装置であって、それにより、空気を飲料中にホイップし、それにより、わずかに泡立った泡層が飲料の上に得られるようにする装置に供給することもできる。このように得られた飲料は、消費の準備ができたカプチーノである。また、飲料を他の既知の装置に供給して、さらなる処理を加えることもできる。飲料を作るために、形状保持パッドを、少なくとも１つの流出開口を備える既知のホルダに入れることができる。特に、この少なくとも１つの流出開口は、欧州特許出願第０８７８１５８号に記載されている噴出開口を形成して、緩衝リザーバ内へ噴出される飲料ジェットを生じ、それにより、小さく泡立った泡層を有する飲料を得ることができる。
【００１１】
特に、第２実施形態は、少なくとも部分的にシート状フィルタ材料から作製された上側シート、およびシート状フィルタ材料から作製された底側シートを備える第２カバーであって、上側シートおよび底側シートが相互連結され、また好ましくはそれらの長手縁部で相互連結され、さらに好ましくは直接的に相互連結され、相互連結部分が円形接合部を形成する、第２カバーを備える。
【００１２】
本発明のさらに好適な実施形態を、補剛体の底側面に膨出部分を設けることによって得ることができ、この膨出部分は、仕切り壁構造の中央部分の高さを増加させることによって形成され、上述の表面と平行に延在する表面を有する。さらに中央部分が補剛体の円周壁の底縁部と比べて下がった位置に配置されて、それにより、中央表面の縁部と円周壁の低縁部との間の仕切り壁構造の底側面が、中央表面のその縁部と円周壁のその底縁部との間に引いた線と比べて下がり、また、底側シートが中央表面全体にかつその縁部から円周壁の、好ましくは環状に突出した底縁部まで延在して、この位置か、またはその付近で補剛体に固定される場合、壁構造および底側シート間に環状チャネルが形成され、これは、物質を内部に溶解した液体の排出を促進することができる。この実施形態でも、被抽出物質を入れるさらなるカバーを上側シート上に設けることができ、所望ならば、そのカバーの底側を上記上側シートで形成する。
【００１３】
仕切り壁構造を備えた補剛体上への液体の拡散をさらに改良することが望まれる場合、多数の通路を有する分離体、さらに具体的には、シャワーヘッドプレートなどの配水プレートを設けることができ、分離体は、上側シートの少なくとも一部分を形成するか、あるいは、上側シートの上または下側に追加して配置することができる。
【００１４】
一般的に、形状保持パッドの上側シートは、ろ紙などのフィルタ材料の層によって形成される。しかし、形状保持パッドを、取り外し可能に設けられた、液体不透過性の材料の層からなる上側シートを有するように構成することも可能である。特に、挽いたコーヒー豆などの被抽出物質と共にカバーを形状保持パッド上に置き、そのカバーのフィルタ層が形状保持パッドの開放上側面を覆うとき、この構成を利用することができる。補剛体が適当に構成されているとき、それはこの構造で再使用するのに適する。これは、開放した上側面が、仕切り壁構造によって形成された格子構造体内に可溶性物質を撒き散らすことを可能にするからである。
【００１５】
本発明はまた、形状保持パッドと、挽いたコーヒー豆などの被抽出製品を充填した、少なくとも部分的にシート状フィルタ材料から作製された抽出パッドとのアセンブリに関する。この場合、抽出パッドの幅方向の抽出パッドの寸法は好ましくは、形状保持パッドの上記表面の方向の形状保持パッドの寸法より大きい。そのようなアセンブリは好ましくは、ホットミルク入りコーヒーを作るために、さらに具体的には、カプチーノを作るために使用することができる。この目的のために、被抽出製品には挽いたコーヒー豆を使用し、可溶性物質にはたとえば、粉乳／クリーマを使用する。この場合、たとえば、形状保持パッドをホルダに入れてから、抽出パッドを形状保持パッドの上に載せることができる。次に、たとえば、高温水をホルダの上側面に供給する。この高温水は、抽出パッドを加圧状態で通過し、それにより、コーヒー抽出液が生成される。次に、このコーヒー抽出液が形状保持パッドを通過して流れ、それにより、物質がコーヒー抽出液内に溶解する。物質には粉乳／クリーマが使用されるため、このようにしてミルク入りコーヒー抽出液が生成される。このように消費に適する飲料が、ホルダの流出開口を通ってホルダから出ることができる。このようにして得られた飲料を上記欧州特許出願第０８７８１５８号に記載されている装置に加圧状態で供給し、それにより、小さく泡立った泡層を有する飲料を、特にカプチーノを得ることができる。この場合もホルダの流出開口は、欧州特許出願第０８７８１５８号に記載されている噴出開口として構成することができる。上記アセンブリは、１つのパッケージに入れて消費者に提供することもできる。
【００１６】
本発明はまた、以上に記載したような形状保持パッドまたはアセンブリを用いて消費に適する飲料を作る方法であって、上側シートおよび底側シートによって閉鎖状に覆われた補剛体内に仕切り壁構造によって形成された液体透過性の格子構造体を有する形状保持パッド内に収容された、水などの液体に可溶性の粉乳／クリーマ、砂糖および同様の添加物などの一定量の物質を、カバー内に収容された、挽いたコーヒー豆などの被抽出物質の一定量と共にホルダに入れて、次に、高温水などの液体を好ましくは加圧状態でホルダに、特にその上側面から２つの物質に供給し、その後、このようにして得られた飲料をホルダの底側面の少なくとも１つの流出開口から引き出す、飲料を調製する方法に関する。好ましくは、カバーは、形状保持パッドの上方に配置されるが、得られた飲料を、噴出開口として構成された排出開口から排出し、それによって小さく泡立った泡層が得られるようにすることも好ましい。また、カバーを形状保持パッドの下側に配置することもできる。以上にすでに記載したように、噴出開口を有するそのような方法は、カプチーノを得るために特に適している。形状保持パッドを、カバーと共に全体を形成するように結合するか、または別のカバーと共に使用することができ、このとき、カバー及びパッドの両方を使い捨て用にすることができるが、取り外し可能な上側シートを有する構造の形状保持パッドは、繰り返し使用することもできる。
【００１７】
補剛体を備えたパッドは、EP−A−０３９８５３０、US−A−４，４４６，１５８、及びUS−A−５，０８２，６７６号から既知であるが、これは、被抽出製品、さらに具体的には、挽いたコーヒー豆を入れるパッドに関することに注意されたい。しかし、そのようなパッドでは塊化の問題が発生しない。したがって、参照の既知の補剛体は２〜３本の補剛リブを備えているだけであり、これらは、比較的大きい区画室を形成し、ホルダ内に自由に懸架されているパッドに、曲げに対する十分な耐性を与えることを本質的な目的としている。上述したように、本発明の形状保持パッドは特に、支持状態でホルダ内に配置されることを意図し、補剛体が塊化を防止するが、また別の効果も有する。液体に溶解した物質がパッドから出るため、可溶性物質が溶解して排出された後、パッドは実質的に空になる。しかし、ホルダ内に支持された位置にあるとき、形状保持パッドは、その上に配置された、挽いたコーヒー豆などの被抽出製品を収容している第２カバーを支持する必要がある。飲料を作る間に排水されるパッドは、抽出処理を妨害する可能性がある。しかし、本発明に従ったこのような形状保持パッド内に補剛体が存在することにより、この問題が決して起きないようにすることができる。このことは、形状保持パッドがホルダによって支持され、第２カバーがホルダ内の形状保持パッドの下側に位置して、やはりホルダによって支持されているときにも当てはまる。
【００１８】
次に、非制限的な例にすぎないが、図面に示された実施形態を参照しながら、本発明をさらに詳細に説明する。
【００１９】
図１において、参照番号１は、本発明に従って消費に適する飲料を作るための形状保持パッドを表す。形状保持パッド１は、水溶性物質４を入れた少なくとも１つの第１カバー２を有する。本例では、水溶性物質は、粉乳／クリーマからなる。消費に適するココアおよび他の飲料を作るための粉末などの他の物質も考えられる。また、濃縮液および抽出液などの、粉末以外の形状の物質も可能である。
【００２０】
カバー２は、シート状フィルタ材料から作製された上側シート６と、シート状フィルタ材料から作製された底側シート８とを有する。本例では、上側シート６および底側シート８の各々がろ紙から作製されている。しかし、合成物のフィルタ材料などの他のフィルタ材料も可能である。形状保持パッドは、上側シートおよび底側シート間に含まれる補剛体１０をさらに備える。上側シートおよび底側シートの各々は、少なくとも部分的に表面１２にほぼ平行に延在する。
【００２１】
補剛体１０は、表面１２に平行に延在して格子１４（図２および図３を参照）を形成する仕切り壁構造を備え、複数の区画室１６が格子内に設けられている。各区画室１６は、格子１４の上側１８に開口２０を有する。また、各区画室は、格子の底側２２に開口２４を有する。補剛体の上側面は上側シート６に隣接し、補剛体の底側面は底側シート８に隣接している。さらに具体的には、格子の上側面１８が上側シート６に隣接し、格子１４の底側面２２が底側シート８に隣接している。このため、仕切り壁構造は、液体を上側面から底側面へ透過する格子構造体を有する。
【００２２】
本例では、補剛体は、格子の側部の周囲に延在する直立側壁２６を有する。さらに、補剛体は、格子の側部の周囲に延在する水平縁部２８を有する。補剛体の上側にはさらに、上向きに延出して、実際のところ、直立側壁２６と一直線に並んでいる直立縁部３０が設けられている。上側シートは、補剛体の上側に固定されている。本例では、上側シート６は、その長手縁部付近で、直立縁部３０に固定されている。補剛体の底側にはさらに、下向きに延出する円形縁部３２が設けられている。底側シートは、補剛体の底側面に固定されている。本例では、底側シート８は、下向きに延出する縁部３２に固定されている。本例ではさらに、上側シートがさらに格子の上側面に固定され、底側シートがさらに格子の底側面に固定されている。さらに、多数の区画室がハニカム構造を有する。さらに本例では、隣接する区画室がそれぞれ、単一の側壁３４によって互いに分離されている。本例では、区画室の各々に粉乳／クリーマなどの水溶性物質が充填されている。
【００２３】
さらに、パッド１は平坦な形状を有し、パッドの、表面１２の方向の寸法が、表面１２に垂直な方向３５の寸法より大きい。
【００２４】
本例では、格子／仕切り壁構造は、プラスチックなどの合成物から作製される。しかし、格子／仕切り壁構造は、金属、ゴム、厚紙および／または生分解性材料などの他の材料から作製することもできる。特に、補剛体全体が、プラスチックなどの合成物、金属、ゴム、厚紙および／または生分解性材料から作製される。さらに、本例では、形状保持パッドは、ディスク形（丸いディスクの形状）構造を有する。パッドの直径ｄは、たとえば４０〜８０ｍｍ、特に約６０ｍｍである。パッドの高さは、たとえば５〜２０ｍｍ、特に約７ｍｍである。ハニカム構造を形成する区画室の直径ｌは、たとえば５〜１０ｍｍ、好ましくは約７ｍｍである。
【００２５】
形状保持パッドは、消費に適する飲料を作るために既知の様式で使用することができる。したがって、たとえば、上側面が開放して、底側面に少なくとも１つの流出開口を備えるホルダ内にパッドを設置することができる。そのようなホルダは既知であり、消費に適する飲料を作る既知の器具、たとえば、エスプレッソ沸かし器および他の形式の器具に通常使用される。器具により、たとえば、高温水をホルダの上側面に加圧状態で供給することができる。この高温水は、上側シートを通過して形状保持パッドに透通し、物質が水に溶解する。物質が内部に溶解している高温水は次に、底側シートを通って形状保持パッドから流出することができ、それから少なくとも１つの流出開口を通ってホルダから流出することができる。区画室の結果として、この場合には水に溶解する物質の割合が比較的大きいであろう。ホルダから流出する、消費に適する飲料は次に、カップなどの容器に集めることができる。しかし、たとえば、欧州特許出願第０８７８１５８号に記載されているように、ホルダから出る飲料を噴出開口に供給して、小さく泡立った泡層を有する、消費に適する飲料を調製することも可能である。この場合、ホルダの流出開口は、たとえば、噴出開口として構成することができる。
【００２６】
図１の例では、上側シート６および底側シート８が、直立側壁２６を介在させて相互連結されている。しかし、上側シート６および底側シート８を直接的に相互連結することも可能である。これが図５に示されている。図５では、底側シート８および上側シート６が相互連結され、本例では、上側および底側シートの長手縁部３６で相互連結され、本例ではさらに、互いに直接的に連結されて、相互連結部分が円形接合部３８を形成している。この場合、図１を参照しながら説明したように、上側シートおよび／または底側シートをそれぞれ格子１４の上側面１８および格子１４の底側面２２に連結することもできる。
【００２７】
図６は、図１〜図４のパッドの代替実施形態を示す。図１および図６では、多数の対応部品が同一の参照番号で表されている。図６のパッドでは、上側シート６および底側シート８が直立壁の外側３７に連結されている。上側シート６および底側シート８はそれぞれ、任意に、さらに格子の上側面および底側面に（任意に、２〜３カ所で）連結することができる。
【００２８】
そのため、上述したように、上側シートを補剛体にさまざまなやり方で固定することができる。たとえば、上側シートを格子の上側面（任意に、上側面だけ）に連結することが可能である。上側シートを直立側壁の上側面（任意に、上側面だけ）に連結することも可能である。加えて、上側シートを直立側壁の外側（任意に、外側面だけ）に連結することが可能である。特に後者の２つの選択肢では、上側シートが格子の上側面にも固定される。後者の場合、上側シートを格子の上側面の２〜３カ所だけに固定することもさらに可能である。上側シートおよび底側シートを互いに直接的に固定することも可能である。
【００２９】
また、上述したように、底側シートを補剛体にさまざまな方法で固定することができる。たとえば、底側シートを格子の底側面（任意に、底側面だけ）に連結することが可能である。底側シートを直立側壁の底側面（任意に、底側面だけ）に連結することも可能である。加えて、底側シートを直立側壁の外側面（任意に、外側面だけ）に連結することが可能である。特に後者の２つの選択肢では、底側シートが格子の底側にも固定される。後者の場合、底側シートを格子の底側の２〜３カ所だけに固定することもさらに可能である。
【００３０】
特に、図７に示されているように、パッドはさらに第２カバー３９を有する。本例では、カバー３９は、シート状フィルタ材料から作製されている。このシート状フィルタ材料は、たとえば、ろ紙を備えることができる。しかし、合成フィルタ材料などの他のシート状フィルタ材料も可能である。第２カバー内には、コーヒー豆または茶葉などの被抽出製品４０が入っている。しかし、本例では、被抽出製品は、挽いたコーヒー豆４０である。本例では、第２カバー３９は、第１カバー２の上方に配置されて、表面１２に少なくともほぼ平行に延在している。図７では、第１カバー２は、図１〜図４を参照しながら説明したカバー２に対応する。第２カバーは、シート状フィルタ材料から作製された上側シート４１、およびシート状フィルタ材料から作製された底側シート４２を備える。上側シート４１は、たとえばろ紙から作製することができる。このことは、底側シート４２にも当てはまる。上側シート４１および底側シート４２はそれらの長手縁部で相互連結され、相互連結部分が円形接合部４３を形成する。第１および第２カバーは相互連結されている。図７のパッドでは、第２カバー３９の底側シート４２が第１カバー２の上側シート６から構成されるため、これが実現されている。第２カバー３９を第１カバー２の下側に配置することも可能である。特に、その場合には第２カバー３９の上側シート４１が第１カバー２の底側シート８で構成される。
【００３１】
図７の形状保持パッドは好ましくは、ミルク入りコーヒーを作るために使用することができる。この目的のため、図７に従った形状保持パッドをたとえば、エスプレッソ沸かし器などの既知のホルダ内に上記のようにして設置する。次に、高温水をホルダの上側に、好ましくは加圧状態で供給する。このように、水が第１および第２カバーの物質の両方に供給される。本例では、高温水が少なくとも部分的に、上側シート４１を通過して第２カバーの内部空間４４に流れ、そこでコーヒー抽出液が生成される。このコーヒー抽出液は、底側シート４２を通って第２カバー３９から流出し、底側シート４２が第１カバー２の上側シートも形成しているため、次に第１カバー２に流入する。第１カバー２内で、コーヒー抽出液は区画室を通過して流れ、そこで物質がコーヒー抽出液内に溶解して、ミルク入りコーヒーが生成される。次に、このミルク入りコーヒーは、底側シート８を通って図７のパッド１から流出する。次に、ミルク入りコーヒーは、ホルダの少なくとも１つの流出開口を通ってホルダから出ることができる。このように、上側シートおよび底側シートによって閉鎖状に覆われた補剛体内の仕切り壁構造によって形成された液体透過性格子構造体を有する形状保持パッド内に収容された、水などの液体に可溶性の粉乳／クリーマ、砂糖および同様な添加物などの一定量の物質を、第２カバー内に収容されている、挽いたコーヒー豆などの被抽出物質と共にホルダ内に入れて、次に、高温水などの液体をホルダに、特にホルダの上側面から、好ましくは加圧状態で２つの物質に供給し、その後、このようにして得られた飲料を、ホルダの底側面の少なくとも１つの流出開口から引き出す。上述したように、このように得られた飲料は、たとえば欧州特許出願第０８７８１５８号に記載されているように、小さく泡立った泡層を有する飲料を得るための装置に供給することもできる。このようにしてカプチーノを生成することができる。この場合、ホルダの流出開口を、この欧州特許出願公報に従った装置の噴出開口として構成することができる。既知のホルダ内で第２カバーを第１カバーの下側面に置いて、水をホルダの上側面に供給すると、水はまず、第１カバーを通過して流れて、第１カバー内の物質を溶かし、その水が次に、抽出パッドを通過して流れる。この場合、液体が最初に可溶性物質に、その後に被抽出物質に供給される。
【００３２】
図８は、被抽出製品４０を充填した図７の形状保持パッドの代替実施形態を示す。図８のパッドも第２カバー３９を備える。補剛体は、環状の直立縁部４５をさらに備える。直立縁部４５の上側面に、第２カバー３９の上側シート４１が固定されている。この場合、第２カバーの底側シート４２も、第１カバー２の上側シート６で構成される。
【００３３】
図９は、図７の形状保持パッド用の第２代替実施形態を示す。図９においても同様に、形状保持パッドは、ろ紙などのシート状フィルタ材料から作製された第２カバー３９を備え、その内部に、挽いたコーヒー豆または茶葉などの被抽出製品４０が含まれている。本例では、被抽出製品が挽いたコーヒー豆である。この場合も同様に、第２カバーが、第１カバーの上方で表面１２に少なくともほぼ平行に延在している。第１カバー２は、図１〜３を参照しながら説明したカバーに対応する。しかし、第１カバー２は、図５および図６を参照しながら説明したように構成することもできる。第２カバー３９も、ろ紙などのシート状フィルタ材料から作製された上側シート６０と、ろ紙などのシート状フィルタ材料から作製された底側シート６２とを備える。しかし、本例では、底側シート６２が第１カバーの上側シート６とは別のシートからなる。底側シート６２および上側シート６は、既知のようにして、たとえば、接着剤接続４７などによって、互いに固定することができる。第１カバー２および第２カバー３９の組み合わせを第３カバー４６内に含ませることも可能である。本例では、第３カバー４６は、ろ紙などのシート状フィルタ材料から作製された上側シート４８と、ろ紙などのシート状フィルタ材料から作製された底側シート５０とを備える。底側シート５０および上側シート４８は、それらの長手縁部付近で相互連結されている。これらの長手縁部が円形接合部５２を形成している。本例では、第１カバー２および第２カバー３９が第３カバー４６によって一緒に保持されて、第１カバー２および第２カバー３９が必ずしも直接的に相互連結されない。
【００３４】
図９の形状保持パッドは、それの変更形の各々で、ミルク入りコーヒーを作るため、特に図７を参照しながら説明したように、カプチーノを調製するために、同様に好都合に使用することができる。
【００３５】
図１０ａは、本発明に従ったアセンブリを示す。アセンブリ５４は、図１〜図４か、あるいは、たとえば図５または図６を参照しながら説明したような形式の形状保持パッド１を備える。アセンブリは、たとえば、挽いたコーヒー豆などの被抽出製品を充填した既知の抽出パッド５６をさらに備える。既知の抽出パッドは、ろ紙などのシート状フィルタ材料から作製されて、本例では、挽いたコーヒー豆５８が充填されている。抽出パッドの幅方向Ｂ（図１０ｂを参照）の寸法が、形状保持パッドの、上記表面１２の方向の寸法と少なくとも同じ大きさであり、本例ではそれと一致する。本例では、形状保持パッド１および抽出パッド５６の各々がディスク形の構造を有し、形状保持パッドおよび抽出パッドは少なくともほぼ等しい直径を有する。既知の抽出パッド５６も、ろ紙などのシート状フィルタ材料から作製された上側シート６０と、ろ紙などのシート状フィルタ材料から作製された底側シート６２とを備え、上側シートおよび底側シートは、それらの長手縁部付近で相互連結されて、その連結部分が接合部６４を形成している。
【００３６】
抽出パッドの幅方向Ｂの寸法が、形状保持パッドの、表面１２の方向の寸法と少なくとも同じ大きさであり、本例ではそれと一致するので、形状保持パッドおよび抽出パッドは、少なくとも１つの流出開口６８を備えたホルダ６６内に簡単にはめ込むことができる。そのとき、形状保持パッド１はホルダの底部に載置され、一方、抽出パッド５６は形状保持パッドの上に配置される（図１０ａを参照）。次に、高温水をホルダの上側に供給して、消費に適する飲料を調製することができる。特に、水は加圧状態で供給される。この圧力は、センセオシステム（Senseo system）を使用してエスプレッソまたはコーヒーを作るための通常の値にすることができる。これらの例の形状保持パッドのさらなる利点は、可溶性物質が溶けて形状保持パッドから出るときに、形状保持パッドの形状が変化しないか、あるいはほとんど変化しないことである。したがって、形状保持パッドの変形によって生じる抽出パッドの変位および／または変形が発生しないか、あるいは少なくともほとんど発生しないため、抽出プロセスが制御不能に行われる受けることはない。このことは、抽出パッドがホルダ内で形状保持パッド上に載置されているときだけでなく、抽出パッドがホルダ内で形状保持パッドの下側に配置され、ホルダ内の形状保持パッドがホルダによって支持されるときにも当てはまる。また、図１１は、図１０ａの形状保持パッド１を抽出パッド５６と共に内部に含む既知のホルダ６６を示す。本例ではホルダ６６の特殊形状のため、抽出パッド５６が形状保持パッド１より大径である。これにより、抽出パッド５６を形状保持パッドの上方（上流側）に配置することができる。上述したように、高温水を（加圧状態で）ホルダ６６の上側に供給することができ、この高温水は、少なくとも部分的に、抽出パッド５６および形状保持パッド１を連続的に通過して流れ、それにより、コーヒー抽出液またはミルク入りコーヒー抽出液が連続的に生成される。ミルク入りコーヒー抽出液は、ホルダの流出開口６８を通ってホルダ６６から出る。特に、流出開口６８は、欧州特許出願第０８７８１５８号に記載されているような既知の噴出開口として構成される。これにより、ミルク入りコーヒー抽出液ジェットが形成されて緩衝リザーバ７０内へ噴出され、それにより、小さく泡立った泡層を有するミルク入りコーヒー抽出液が得られる。特に本例では、このようにしてカプチーノが生成される。図１０ａのアセンブリの代わりに、ホルダ６６に入れるために、図７、図８または図９の形状保持パッドを使用することもできる。そのような変更形態もそれぞれ、本発明の範囲に入ると見なされる。
【００３７】
図１２は、本発明の代替形状保持パッドを得るために、図１〜図９のパッドの補剛体１０の代わりに使用することができる補剛体１０を示す。補剛体は、外側リング８０上に位置する区画室１６．１と、外側リングの内側のリング８２上に位置する区画室１６．２と、リング８２の内側のリング８４上に位置する区画室１６．３と、リング８４の内側のリング８６上に位置する区画室１６．４と、リング８６の内側のリング８８上に位置する区画室１６．５とを備える。区画室１６．１および１６．２は、区画室１６．３より小さい。また、区画室１６．３は、区画室１６．４より小さい。そのため、補剛体は、補剛体の円形縁部９０から比較的短い距離をおいた位置に配置された複数の比較的小さい区画室（それぞれ１６．１＆１６．２および１６．３）を有し、また、補剛体は、円形縁部から比較的長い距離をおいた位置に配置された複数の比較的大きい区画室（それぞれ１６．４および１６．５）を有する。たとえば、図１０および図１１に従って使用するとき、溶解する物質の割合が比較的大きいことがわかった。特に、円形縁部から比較的短い距離をおいた位置に配置された区画室内に存在する物質もうまく溶解する。使用の際に、形状保持パッドがこれらの区画室の位置でホルダ６６の底部の上に載るため、これらの区画室を通る水の流れが時々妨害されることがわかった。区画室１６．１の表面積は、たとえば２５〜５５ｍｍ２、好ましくは４０ｍｍ２である。区画室１６．２、１６．３および１６．４は、それぞれ３５〜６６ｍｍ２、好ましくは５０ｍｍ２、４５〜７５ｍｍ２、好ましくは６０ｍｍ２、５５〜８５ｍｍ２、好ましくは７０ｍｍ２である。図１３は、格子が、細長い構造を有して少なくとも実質的に互いに平行な向きである区画室１６を有することもできることを示す。この場合、たとえば、ｄ２＞＞ｄ１であることが当てはまる。図１４ａ〜図１４ｃは、底側シート８がすべての位置では格子に当接しない例を示す。底側シート８が格子に当接しない場所には、それぞれ少なくとも部分的に物質４を充填した収容空間９２が示されている。
【００３８】
図１５に平面図で示されている補剛体９０は、環状の円周壁９１を備え、２つのさらなる環状壁９２および９３が円周壁９１の内側に同心状に延在している。中央ペン９４から、８つの壁９５が半径方向に回転対称的に分散した状態で円周壁９１まで延在している。それぞれ２つの壁９５の中間で、半径方向に延在する壁９６が、環状壁９３および円周壁９１間に設けられている。図１６に示されているように、円周壁は湾曲断面を有し、そのため、円周壁９１は開放した皿形であって、開放した底部を有し、下向きに延出した円形縁部９７が開放底部の円周付近に形成されている。さらに、環状壁９３が環状壁９２より高く、環状壁９３は上記開放底部を通って突出していることが、図１６から見える。壁９５および９６は、このようにして環状壁によって形成された断面形状に従い、環状壁９５および９６間の高さの差は、引き伸ばされたＳ字形のなだらかな移行部分によって底側面で補填される。このため、補剛体９０は、円周壁９１に対して隆起した中央部分を有する。さらに、中央ペン９４は、環状壁９３より幾分短い構造を有し、そのため、中央ペン９４に隣接する区画室が相互接続される。
【００３９】
図１７は、図１８に示されるような組み立てた状態の形状保持パッドを形成するための、図１５および図１６に示された補剛体９０と底側シート１００、上側シート１０１およびカバーシート１０２とを一緒に概略的に示す。組み立てたパッドを図１７に示された部品から得る様子を明らかにするために、図１７では、異なった部品上の対応するシール場所を対応の文字ａ−ａ、ｂ−ｂ、ｃ−ｃ、ｄ−ｄ、ｅ−ｅで表す。
【００４０】
図１８から明らかなように、補剛体９０の中央隆起部分と、その上にきちんと引き伸ばされて、ｅで円周壁９１に固定された底側シート１００とによって円形の環状チャネル１０３が形成され、このチャネルを介して、壁９６に隣接した区画室が相互接続される。これと、中央ペン９４に隣接した区画室の相互接続とにより、可溶性物質の完全な溶解および可溶性物質の補剛体９０からの排出を促進することができる。
【００４１】
特に、上記実施形態の各々において、区画室の最小寸法は、パッドの最小寸法の１／３より小さく、好ましくは１／４より小さく、さらに好ましくは１／６より小さく、さらにもっと好ましくは１／７より小さい。また、上記実施形態の各々において、区画室の最小寸法は、パッドの厚さの２倍より小さい。また、上記実施形態の各々において、上記寸法の区画室は、少なくとも実質的にパッド全体に延在している。好ましくは、１ｍ２当たりの区画室の数は３，０００〜１００，０００個、さらに好ましくは１０，０００〜３０，０００個／ｍ２、さらにもっと好ましくは１６，０００〜２０，０００個／ｍ２である。シート状フィルタ材料は、たとえば、小さい開口を設けた金属またはプラスチックなどのプレートで構成することもできる。シート状材料は、開口を間に形成する織り糸を有する網状材料で構成することもできる。加えて、パッドは、開くことができるように構成することができる。これは、たとえば、上側シートを取り外し可能に設けることによって行うことができる。その場合、使用後にパッドを開き、水溶性物質を再び充填することができる。形状保持パッドは、水を加圧状態で形状保持パッドに供給しない（水を注ぎ込む）装置に使用することもできる。
【００４２】
パッドは、丸形以外にも、矩形、正方形または楕円形などの他の形状を有することもできる。本出願には補剛体が含まれる。このことは、補剛体が非常に剛直であり、そのため、使用の際の補剛体の変形が、あるとしても非常にまれであることを意味すると理解される。
【００４３】
上記実施形態の各々において、壁３４が表面１２に対して９０°以外の角度をなすこともできる。また、壁１４の各々の法線が垂直方向に変化することができる。
【００４４】
特別な実施形態によれば、区画室が上側面および／または底側面に複数の開口を備える。たとえば、隣接した区画室間の少なくとも１つの壁３４の少なくとも１つの開口により、これらの隣接した区画室を相互接続することも可能である。このようにして、図１９ａおよび図１９ｂを参照しながら後述するように、渦巻き形の補剛体を得ることもできる。したがって、仕切り壁構造の少なくとも一部分を渦巻き形の壁で形成することが可能である。そのような補剛体２００の一例が、図１９ａおよび図１９ｂに示されており、たとえば、図１〜図１０の形状保持パッドの各々に使用することができる。加えて、渦巻き２０２付近に多数の側壁２０４を任意に設けることができ、その幾つかが図１９ａに点線で示されている。しかし、これらの側壁を省略してもよい。
【００４５】
本出願では、コーヒーパッドが既知のコーヒーカートリッジを意味するとも理解される。
【００４６】
特に、たとえば、図１０ａおよび図１１に示されたホルダ６６および形状保持パッド１はさらに、抽出パッド５６および／または第２カバー３９をホルダ内に設置する前に、相互連結することができる。好ましくは、形状保持パッドおよびホルダは一体構造を有する。このことは、形状保持パッドが、挽いたコーヒー豆または茶葉などの被抽出物質を充填した抽出パッドを入れるための収容空間を設けたホルダをさらに備え、第１カバーが収容空間の下方に配置されて収容空間と流体連通状態にあることを意味する。その場合、形状保持パッドおよびホルダは、たとえば、「使い捨てホルダ」を形成する。
【００４７】
たとえば、図１〜図６、図１０〜図１６および図１９を参照しながら説明した形状保持パッドの各々において、第１カバーの上側シートを、取り外し可能に設けられる液体不透過性のシートから作製することができる。その場合、たとえば、このパッドをホルダ６６内に設置したとき、水を形状保持パッドに供給する前に、このシートを取り外すことができる。
【００４８】
特に、形状保持パッドをホルダ内に設置して、その上か、またはその下に第２カバーを配置する前に、剥離可能層を取り外す。図１０ａおよび図１１のホルダは、使用の際に、水を加圧状態でホルダに供給するときに他の姿勢をとることもでき、たとえば、ホルダ６６を横向きにするか、または上下反対にすることもできる。たとえば、水をホルダの側部か、または底側に供給するようにした他の形式のホルダを使用することも考えられる。また、形状保持パッドは、多数の通路を有する分離体、さらに具体的には、シャワーヘッドプレートなどの配水プレートを補剛体上に設けたことをさらに特徴とすることができる。そのような分離体２１０が、たとえば、図２０ａおよび図２０ｂに示されている。通路２１２は、数、位置および（水力）直径を変更することができる。特に、分離体は、第１カバーの上側シートの少なくとも一部分を形成する。分離体を第１カバー２の上側シートの上方に配置することも可能である。分離体を第１カバー２の上側シートの下側に配置することも可能である。この場合、上側シートは、上述したように取り外し可能に構成されて、液体不透過性の構造を有することができる。また、上側シートをフィルタ材料層から作製してもよい。分離体は、プラスチックか、または金属などの他の材料から作製してもよい。また、上側シートは一部分（たとえば、外側リング）をろ紙から、また、一部分（たとえば、内側ディスク）を分離体から形成してもよい。上側シートおよび底側シートが第１カバーの１つの同一シートを形成することも可能である。その場合、上側シートの概念および底側シートの概念は、相互連結された２枚の異なったシートに制限されない。他のシートか、または単一シートがカバーの（架空の）上側シートおよび底側シートを形成することもできる。そのため、底側シートは、パッドの上側まで延在する少なくとも１枚のシートの一部分であることもできる。同じことが、まったく同様に、上側シートにも当てはまり、場合によっては、これの一部分を、パッドの底側面まで延在する１枚のシートから形成することもできる。このことはすべて、第２カバーにも当てはまる。
【００４９】
本例では、物質が粉乳／クリーマからなる。ココア用粉末や、他の各種香味を得るための粉末などの他の物質も考えられる。物質が粉末以外の別の形を有することも考えられる。物質には、濃縮液および／または抽出液を使用してもよい。さらに、補剛体および格子は、合成物以外の材料、たとえば、厚紙、金属および／またはその組み合わせなどから作製してもよい。さらに、第１カバーの上側シートおよび底側シートは、外側に凹状または凸状表面を形成してもよい。この凹状または凸状表面は、たとえば、格子の上側面１８および／または底側面２２の凹状または凸状の形によって決まる。この場合、上側シート６および底側シート８は、表面１２にほぼ平行な向きでもある。また、補剛体は、互いに上に積み重ねた多数の格子を備えることができ、場合によっては、１つの格子の区画室を、その他の１つの格子の区画室と比べて表面の方向に下がるようにして設けられる。また、図７〜図１１および図１８の例の各々において、第１カバー２および第２カバー３９を互いに交換することも可能である。この場合、補剛体も上記の代替形態に従って構成してもよい。その場合、可溶性物質を入れた第１カバー２が、被抽出製品を入れた第２カバー３９の上方に配置される。例示では、大部分の区画室１６が六角形構造を有する。円形および楕円形と共に、他のｎ角形（ｎ≧３）も可能である。隣接する区画室の中心間距離ｍ（図２を参照）は、たとえば、６〜１０ｍｍにすることができ、好ましくは約７ｍｍである。壁３４の直径は、たとえば、０．２〜０．５ｍｍであり、好ましくは約０．３５ｍｍである。粉末の形であるとき、粉末を凝集させることによって可溶性物質の可溶性を高めることができる。そのような変更形態も、本発明の範囲に含まれると考えられる。
【図面の簡単な説明】
【００５０】
【図１】本発明の形状保持パッドの第１実施形態の断面図である。
【図２】図１のパッドの補剛体の平面図である。
【図３】図１の形状保持パッドの格子の斜視図である。
【図４】図１の形状保持パッドの格子の詳細図である。
【図５】本発明の形状保持パッドの第２実施形態の断面図である。
【図６】本発明の形状保持パッドの第３実施形態の断面図である。
【図７】本発明の形状保持パッドの第４実施形態の断面図である。
【図８】本発明の形状保持パッドの第５実施形態の断面図である。
【図９】本発明の形状保持パッドの第６実施形態の断面図である。
【図１０ａ】本発明のホルダに入れられたアセンブリであって、本発明の形状保持パッドおよび抽出パッドを有するアセンブリの可能な実施形態の断面図である。
【図１０ｂ】図１０ａのアセンブリの抽出パッドの平面図である。
【図１１】カプチーノを作るためにホルダ内に入れられた本発明の形状保持パッドおよび抽出パッドの断面図である。
【図１２】図１〜図９の形状保持パッドの第１代替補剛体の平面図である。
【図１３】図１〜図９の形状保持パッドの第２代替補剛体の平面図である。
【図１４ａ】本発明の形状保持パッドの第９実施形態の断面図である。
【図１４ｂ】本発明の形状保持パッドの第１０実施形態の断面図である。
【図１４ｃ】本発明の形状保持パッドの第１１実施形態の断面図である。
【図１５】本発明の形状保持パッドの第１２実施形態の補剛体の平面図である。
【図１６】図１５のＸＶＩ−ＸＶＩ線に沿った断面図である。
【図１７】組み立てたパッドを形成するための、図１５および図１６の補剛体を含む部品を示す図である。
【図１８】図１７に示された部品からなる、組み付け状態のパッドを示す図である。
【図１９ａ】図１〜図９の形状保持パッドの第２代替補剛体の平面図である。
【図１９ｂ】図１９ｂの補剛体の側面図である。
【図２０ａ】補剛体の上側面に設けることができる分離体の平面図である。
【図２０ｂ】図２０ａの分離体の側面図である。
【図１】
2005536271.tif 000003
【図２】
2005536271.tif 000004
【図３】
2005536271.tif 000005
【図４】
2005536271.tif 000006
【図５】
2005536271.tif 000007
【図６】
2005536271.tif 000008
【図７】
2005536271.tif 000009
【図８】
2005536271.tif 000010
【図９】
2005536271.tif 000011
【図１０ａ】
2005536271.tif 000012
【図１０ｂ】
2005536271.tif 000013
【図１１】
2005536271.tif 000014
【図１２】
2005536271.tif 000015
【図１３】
2005536271.tif 000016
【図１４ａ】
2005536271.tif 000017
【図１４ｂ】
2005536271.tif 000018
【図１４ｃ】
2005536271.tif 000019
【図１５】
2005536271.tif 000020
【図１６】
2005536271.tif 000021
【図１７】
2005536271.tif 000022
【図１８】
2005536271.tif 000023
【図１９ａ】
2005536271.tif 000024
【図１９ｂ】
2005536271.tif 000025
【図２０ａ】
2005536271.tif 000026
【図２０ｂ】
2005536271.tif 000027
【国際調査報告】
2005536271.tif 000028
2005536271.tif 000029
2005536271.tif 000030